(57)【特許請求の範囲】
【請求項１】
駆動源で発生する動力によって走行する車両の走行中に、前記車両の走行方向前方の信号機の信号変化タイミングを含む情報に基づいて、前記駆動源を作動状態とし前記車両を加速させる加速走行と前記駆動源を非作動状態とし前記車両を惰性で走行させる惰性走行とを行う制御、あるいは、前記加速走行の操作又は前記惰性走行の操作を促す制御を実行するものであり、
前記惰性走行を行うことで前記駆動源の再始動時に消費される燃料量に相当する燃料消費を削減可能な期間が確保される場合に、当該惰性走行を行うことを特徴とする、
車両用制御装置。
【請求項２】
駆動源で発生する動力によって走行する車両の走行中に、前記車両の走行方向前方の信号機の信号変化タイミングを含む情報に基づいて、前記駆動源を作動状態とし前記車両を加速させる加速走行と前記駆動源を非作動状態とし前記車両を惰性で走行させる惰性走行とを行う制御、あるいは、前記加速走行の操作又は前記惰性走行の操作を促す制御を実行するものであり、
前記車両が前記信号機を通過する際に前記駆動源を作動状態とすることを特徴とする、
車両用制御装置。
【請求項３】
駆動源で発生する動力によって走行する車両の走行中に、前記車両の走行方向前方の信号機の信号変化タイミングを含む情報に基づいて、前記駆動源を作動状態とし前記車両を加速させる加速走行と前記駆動源を非作動状態とし前記車両を惰性で走行させる惰性走行とを行う制御、あるいは、前記加速走行の操作又は前記惰性走行の操作を促す制御を実行するものであり、
前記加速走行で前記車両の上限速度に達した後に前記惰性走行を行った場合に、当該惰性走行を継続すると前記信号変化タイミングまでに前記車両が前記信号機を通過できない場合には、前記加速走行を行う制御、あるいは、前記加速走行の操作を促す制御を行うことを特徴とする、
車両用制御装置。
【請求項４】
駆動源で発生する動力によって走行する車両の走行中に、前記車両の走行方向前方の信号機の信号変化タイミングを含む情報に基づいて、前記駆動源を作動状態とし前記車両を加速させる加速走行と前記駆動源を非作動状態とし前記車両を惰性で走行させる惰性走行とを行う制御、あるいは、前記加速走行の操作又は前記惰性走行の操作を促す制御を実行するものであり、
前記惰性走行を行うことで前記駆動源の再始動時に消費される燃料量に相当する燃料消費を削減可能な期間が確保されない場合に、前記惰性走行を禁止することを特徴とする、
車両用制御装置。
【請求項５】
前記信号変化タイミングより早いタイミングで前記制御を実行する、
請求項１乃至請求項４のいずれか１項に記載の車両用制御装置。
【請求項６】
前記信号変化タイミングまでの時間内に前記車両が前記惰性走行を行って前記信号機を通過できる車速まで前記駆動源によって加速制御する、
請求項１乃至請求項５のいずれか１項に記載の車両用制御装置。
【発明の詳細な説明】
【技術分野】
【０００１】
本発明は、車両用制御装置に関する。
【背景技術】
【０００２】
従来の車両用制御装置による車両の惰性走行に関する技術として、例えば、特許文献１には、交差点を青信号・無停止で通過するための交差点到達最適時刻を算出し、この交差点到達最適時刻を用いて、車両の現在地点から惰性走行を開始した場合に交差点到達最適時刻までに停止地点に到達可能であるか否かを判定する車両走行制御方法が開示されている。この車両走行制御方法では、この判定において到達可能であればその現在地点から惰性走行を開始し、到達不可であればこの判定を繰り返し、到達可能となった時点で惰性走行を開始する。
【先行技術文献】
【特許文献】
【０００３】
【特許文献１】特開２０１０−０６４５７６号公報
【発明の概要】
【発明が解決しようとする課題】
【０００４】
ところで、上述のような特許文献１に記載の車両走行制御方法は、例えば、燃費の向上と青信号・無停止通過との両立の点で、さらなる改善の余地がある。
【０００５】
本発明は、上記の事情に鑑みてなされたものであって、適正に車両の惰性走行を実現することができる車両用制御装置を提供することを目的とする。
【課題を解決するための手段】
【０００６】
上記目的を達成するために、本発明に係る車両用制御装置は、駆動源で発生する動力によって走行する車両の走行中に、前記車両の走行方向前方の信号機の信号変化タイミングを含む情報に基づいて、前記駆動源を作動状態とし前記車両を加速させる加速走行と前記駆動源を非作動状態とし前記車両を惰性で走行させる惰性走行とを行う制御、あるいは、前記加速走行の操作又は前記惰性走行の操作を促す制御を実行することを特徴とする。
【０００７】
また、上記車両用制御装置では、前記信号変化タイミングより早いタイミングで前記制御を実行するものとすることができる。
【０００８】
また、上記車両用制御装置では、前記車両が前記信号機を通過する際に前記駆動源を作動状態とするものとすることができる。
【０００９】
また、上記車両用制御装置では、前記加速走行で前記車両の上限速度に達した後に前記惰性走行を行った場合に、当該惰性走行を継続すると前記信号変化タイミングまでに前記車両が前記信号機を通過できない場合には、前記加速走行を行う制御、あるいは、前記加速走行の操作を促す制御を行うものとすることができる。
【００１０】
また、上記車両用制御装置では、前記惰性走行を行うことで前記駆動源の再始動時に消費される燃料量に相当する燃料消費を削減可能な期間が確保される場合に、当該惰性走行を行うものとすることができる。
【００１１】
また、上記車両用制御装置では、前記惰性走行を行うことで前記駆動源の再始動時に消費される燃料量に相当する燃料消費を削減可能な期間が確保されない場合に、前記惰性走行を禁止するものとすることができる。
【００１２】
また、上記車両用制御装置では、前記信号変化タイミングまでの時間内に前記車両が前記惰性走行を行って前記信号機を通過できる車速まで前記駆動源によって加速制御するものとすることができる。
【００１３】
上記目的を達成するために、本発明に係る車両用制御装置は、車両の走行方向前方の信号機の信号変化タイミングまでの時間内に前記車両が当該車両の駆動源を非作動状態とした惰性走行を行って前記信号機を通過できる車速まで前記駆動源によって加速制御することを特徴とする。
【発明の効果】
【００１４】
本発明に係る車両用制御装置は、適正に車両の惰性走行を実現することができる、という効果を奏する。
【図面の簡単な説明】
【００１５】
【図１】図１は、実施形態に係る車両制御システムの概略構成図である。
【図２】図２は、信号変化タイミングと車速との関係の一例を表す線図である。
【図３】図３は、ＥＣＵによる制御の一例を説明する線図である。
【図４】図４は、ＥＣＵによる制御の一例を説明する線図である。
【図５】図５は、変形例に係る車両制御システムの概略構成図である。
【発明を実施するための形態】
【００１６】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１７】
［実施形態］
図１は、実施形態に係る車両制御システムの概略構成図、図２は、信号変化タイミングと車速との関係の一例を表す線図、図３、図４は、ＥＣＵによる制御の一例を説明する線図、図５は、変形例に係る車両制御システムの概略構成図である。
【００１８】
本実施形態の車両制御システム１は、図１に示すように、車両２に搭載され、この車両２を制御するためのシステムである。ここでは、車両制御システム１は、信号情報を利用して車両２の走行を制御する信号情報利用システムを構成する。車両制御システム１は、駆動輪（ＴＩＲＥ）３を駆動するための動力を発生させる走行用駆動源である内燃機関としてのエンジン４と、エンジン４が発生した動力を駆動輪３に伝達する動力伝達系をなす動力伝達装置５と、インフラ（インフラストラクチャー）情報を取得するインフラ情報取得装置６と、車両２の各部を制御する車両用制御装置としてのＥＣＵ７とを備える。
【００１９】
動力伝達装置５は、エンジン４からの動力を変速して出力する変速機（Ｔ／Ｍ）５１、変速機５１に連結されるデファレンシャルギヤ（ＤＩＦＦ）５２等を含んで構成される。エンジン４等の車両２の各部は、制御装置としてのＥＣＵ７によって制御される。変速機５１は、いわゆる手動変速機（ＭＴ）であってもよいし、有段自動変速機（ＡＴ）、無段自動変速機（ＣＶＴ）、マルチモードマニュアルトランスミッション（ＭＭＴ）、シーケンシャルマニュアルトランスミッション（ＳＭＴ）、デュアルクラッチトランスミッション（ＤＣＴ）などのいわゆる自動変速機であってもよい。ここでは、変速機５１は、自動変速機であるものとして説明する。変速機５１は、ＥＣＵ７によって動作が制御される。
【００２０】
したがって、車両２は、エンジン４のクランクシャフト４１が回転駆動すると、その駆動力が動力伝達装置５の変速機５１、デファレンシャルギヤ５２等を介して駆動輪３に伝達され、これにより、駆動輪３が回転することで前進走行または後退走行することができる。
【００２１】
インフラ情報取得装置６は、インフラストラクチャーと協調することで取得可能な車両２の周囲のインフラ情報を取得するものである。インフラ情報取得装置６は、例えば、路側に設置された光ビーコン等の送受信機器から車両２の路車間通信機に各種情報を送受信する装置、ＧＰＳ装置、ナビゲーション装置、車車間通信機器、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：道路交通情報通信システム）センタなどからの情報を受信する装置など、種々の装置によって構成される。インフラ情報取得装置６は、インフラ情報として、例えば、車両２が走行する道路の道路情報や車両２の走行方向前方の信号機に関する信号情報等を取得する。道路情報は、典型的には、車両２が走行する道路の制限速度情報、交差点の停止線位置情報等を含む。信号情報は、典型的には、信号機の青信号、黄信号、赤信号の点灯サイクルや信号変化タイミング等の信号サイクル情報を含む。
【００２２】
ＥＣＵ７は、車両２の各部の駆動を制御するものであり、ＣＰＵ、ＲＯＭ、ＲＡＭ及びインターフェースを含む周知のマイクロコンピュータを主体とする電子回路である。ＥＣＵ７は、車両２の車輪速度を検出する車輪速度センサ８、アクセルペダルの操作量に相当するアクセル開度を検出するアクセル開度センサ９等の種々のセンサやインフラ情報取得装置６から検出結果や取得情報に対応した電気信号が入力され、入力された検出結果、取得情報等に応じて、エンジン４、変速機５１等を制御する。ＥＣＵ７は、例えば、車輪速度センサ８による検出結果に基づいて車両２の走行速度である車速を算出することができ、また、アクセル開度センサ９による検出結果に基づいて、運転者による車両２に対する加速要求操作であるアクセル操作のＯＮ／ＯＦＦを検出することができる。
【００２３】
ここでは、ＥＣＵ７は、機能概念的に、エンジン４を制御するエンジンＥＣＵ７１、変速機５１を制御するＴ／ＭＥＣＵ７２、後述するフリーランＳ＆Ｓ（ストップ＆スタート）に関する制御を実行するＳ＆ＳＥＣＵ７３等を含んで構成され、これらが互いに電気的に接続されており、相互に検出信号や駆動信号、制御指令等の情報の授受を行うことができる。
【００２４】
ＥＣＵ７は、車両２の走行中において、エンジンＥＣＵ７１による制御によってエンジン４を始動し、又は作動を停止して、エンジン４の作動状態と非作動状態とを切り替えることが可能となっている。ここで、エンジン４の作動状態（エンジン４を作動させた状態）とは、車両２の駆動輪３に作用させる動力を発生する状態であり、燃焼室で燃料を燃焼して生じる熱エネルギをトルクなどの機械的エネルギの形で出力する状態である。一方、エンジン４の非作動状態、すなわち、エンジン４の作動を停止させた状態とは、動力の発生を停止する状態であり、燃焼室への燃料の供給を停止し（フューエルカット）、燃焼室で燃料を燃焼させずトルクなどの機械的エネルギを出力しない状態である。
【００２５】
ＥＣＵ７は、典型的には、車両２の走行中に、フリーランＳ＆Ｓに関する制御として、Ｓ＆ＳＥＣＵ７３が所定の条件下でエンジンＥＣＵ７１にエンジン停止指令を送信し、エンジンＥＣＵ７１がエンジン４の燃焼室への燃料の供給を停止するフューエルカット制御を実行する。これにより、ＥＣＵ７は、エンジン４の作動を停止した状態とし、この車両２を惰性走行（コーストダウン）させる状態、いわゆるフリーラン状態とする制御に移行可能である。車両２は、典型的には、フリーラン状態では、動力伝達装置５に含まれる種々の係合装置において駆動輪３とエンジン４との連結が解除された状態となる。この結果、この車両制御システム１は、車両２の走行中にエンジン４での燃料の消費を停止しこの車両２を惰性走行させるいわゆるフリーランを行うことができ、燃費の向上を図ることが可能となる。また、ＥＣＵ７は、車両２の惰性走行中に、フリーランＳ＆Ｓに関する制御として、Ｓ＆ＳＥＣＵ７３が所定の条件下でエンジンＥＣＵ７１にエンジン始動指令を送信し、エンジンＥＣＵ７１がエンジン４の燃焼室への燃料の供給を開始しエンジン４を再始動することで、再び車両２をエンジン４が発生する動力によって走行する通常の加速走行に復帰させることができる。また、ＥＣＵ７は、車両２の加速走行と惰性走行とを繰り返す制御を行うことで、走行全体として車両２の定常走行区間を実現することもできる。
【００２６】
ここで、ＥＣＵ７は、運転者による所定のフリーラン操作に応じてエンジン４の作動を停止し車両２を惰性走行させてもよいし、運転者による操作にかかわらず所定の条件で自動的にエンジン４の作動を停止し車両２を惰性走行させてもよい。また、ＥＣＵ７は、運転者による所定のフリーラン解除操作に応じてエンジン４を再始動し車両２を加速走行させてもよいし、運転者による操作にかかわらず所定の条件で自動的にエンジン４を再始動し車両２を加速走行させてもよい。
【００２７】
ＥＣＵ７は、本実施形態のように変速機５１が自動変速機である場合、運転者による所定のフリーラン操作として、例えば、車両２の走行中に、運転者によって、アクセル操作をＯＦＦにすると共にフリーランスイッチ１０をＯＮとする一連の操作、あるいは、フリーランスイッチ１０をＯＮとした状態でアクセル操作をＯＦＦにする操作がなされた際に、エンジン４の作動を停止し車両２を惰性走行させる。また、ＥＣＵ７は、本実施形態のように変速機５１が自動変速機である場合、運転者による所定のフリーラン解除操作として、例えば、車両２の惰性走行中に、運転者によって、アクセル操作をＯＮとする操作、あるいは、フリーランスイッチ１０をＯＦＦにする操作がなされた際に、エンジン４を再始動し車両２を加速走行させる。
【００２８】
そして、本実施形態のＥＣＵ７は、エンジン４で発生する動力によって走行する車両２の走行中に、車両２の走行方向前方の信号機の信号変化タイミングを含む情報に基づいて、加速走行と惰性走行とを行う制御、あるいは、加速走行の操作又は惰性走行の操作を促す制御を実行することで、燃費（単位燃料量で走行できる距離）の向上と青信号・無停止通過とを両立し、適正に車両２の惰性走行を実現している。ここで、車両２の加速走行とは、エンジン４を作動状態とし車両２を加速させる走行であり、車両２の惰性走行とは、エンジン４を非作動状態とし車両２を惰性で走行させる走行である。
【００２９】
本実施形態のＥＣＵ７は、車両２の走行方向前方の信号機の信号変化タイミングより早いタイミング、典型的には、信号機が青信号から赤信号に変る信号変化タイミングより早いタイミングで加速走行と惰性走行とを自動的に行う制御を実行する。
【００３０】
具体的には、ＥＣＵ７のＳ＆ＳＥＣＵ７３は、インフラ情報取得装置６が取得した情報に基づいて、車両２の走行方向前方の信号機の信号変化タイミングに関する情報や道路情報等を取得する。そして、ＥＣＵ７は、この信号変化タイミングに応じて、車両２が一定の車速で定常走行した場合に、信号機の黄信号の終了までにこの信号機に応じた停止線位置を通過することが可能な車両２の最低車速を算出する。
【００３１】
ここで、図２は、横軸を信号変化タイミング、縦軸を車速としている。車両２の走行距離は、車速×走行時間で表すことができる。このため、車両２は、図２中に示す信号変化タイミングＴ１と、停止線位置を通過することが可能な車両２の最低車速Ｖ１とで定まる基準面積Ｓ１（停止線位置を通過するための基準の走行距離に相当）を基準として、車両２の実際の走行に応じた実際の車速と信号変化タイミングＴ１とで定まる面積（実際の走行距離に相当）がこの面積Ｓ１より大きくなれば、走行方向前方の信号機の停止線位置で停止することなく、この信号機を通過することができることとなる。
【００３２】
Ｓ＆ＳＥＣＵ７３は、このことを利用して、車両２が信号変化タイミングＴ１までに信号機で停止することなく通過できると共に可能な限り燃料消費を抑制できるように、最適な加速走行と惰性走行との配分を決定する。例えば、Ｓ＆ＳＥＣＵ７３は、取得した信号変化タイミングＴ１と、算出した最低車速Ｖ１とから基準面積Ｓ１を算出する。そして、Ｓ＆ＳＥＣＵ７３は、図３に示すように、信号変化タイミングＴ１と実際の車速とで定まる面積Ｓが基準面積Ｓ１以上となるように、加速走行の期間と惰性走行の期間とを設定する。
【００３３】
ここで、Ｓ＆ＳＥＣＵ７３は、例えば、車両２が惰性走行を行うことでエンジン４の再始動時に消費される燃料量に相当する燃料消費を削減可能な期間である惰性走行有効期間Ｘ（図３参照）が確保される場合に、車両２の惰性走行を行うように設定する。言い換えれば、Ｓ＆ＳＥＣＵ７３は、例えば、信号変化タイミングＴ１までに、惰性走行有効期間Ｘが確保されない場合には、車両２の惰性走行を禁止する。惰性走行有効期間Ｘは、エンジン４の始動時の燃料増量分を差し引いても、惰性走行による燃料削減効果が十分に得られる期間（例えば５秒程度）として、予め実験等に応じて設定される。すなわち、Ｓ＆ＳＥＣＵ７３は、惰性走行の期間を設定する際には、当該惰性走行の期間がこの惰性走行有効期間Ｘ以上となるように設定する。
【００３４】
そして、エンジンＥＣＵ７１、Ｔ／ＭＥＣＵ７２は、Ｓ＆ＳＥＣＵ７３が設定した加速走行の期間と惰性走行の期間とに応じて、エンジン４や変速機５１を制御して加速走行と惰性走行とを自動的に行う制御を実行する。典型的には、ＥＣＵ７は、信号変化タイミングまでの時間内に車両２が惰性走行を行って信号機を通過できる車速までエンジン４によって加速制御する。図３の例では、車両２は、時刻ｔ１以前の期間で加速走行を行い、時刻ｔ１から信号変化タイミング（信号変化時刻）Ｔ１までの期間で惰性走行を行う。
【００３５】
また、ＥＣＵ７は、法定制限速度など、車両２の上減速度ＶＬが定められており、車両２の加速走行時に車速がこの上減速度ＶＬに達した場合には、例えば、図４に例示するような制御を行う。すなわち、ＥＣＵ７は、加速走行で車速が車両２の上限速度ＶＬに達した後に惰性走行を行った場合に、この惰性走行を継続すると信号変化タイミングＴ１までに車両２が信号機を通過できない場合には、エンジン４を再始動して作動状態とし、加速走行を行う制御を実行する。この場合、Ｓ＆ＳＥＣＵ７３は、惰性走行有効期間Ｘ以上の惰性走行後に加速走行の期間を設定する。そして、エンジンＥＣＵ７１は、惰性走行有効期間Ｘ以上の惰性走行後にエンジン４を自動的に再始動する制御を実行する。車両２は、図４の例では、時刻ｔ１以前の期間で加速走行を行い、時刻ｔ１から時刻ｔ２までの期間で惰性走行を行う。そして、車両２は、時刻ｔ２にてエンジン４が再始動され時刻ｔ２から信号変化タイミング（信号変化時刻）Ｔ１までの期間で加速走行を行う。
【００３６】
この結果、車両２は、ＥＣＵ７が信号変化タイミングの前に車両２を加速走行と惰性走行とを組み合わせて走行させる制御を実行することで、例えば、惰性走行時に車速が低下しても、これを見込んで加速走行で車速を上げておくことができるから、信号機で停止することなく当該信号機を通過できる可能性を高めることができると共に、燃料消費を低減して燃費の向上を図ることができる。例えば、車両２は、加速走行時に車両２の車速が制限された後に惰性走行に移行したような場合であっても、惰性走行後に加速走行を行って補うことで、信号変化タイミングまでに確実に信号機を通過することができる。したがって、ＥＣＵ７は、車両２の青信号・無停止通過と燃費の向上とを両立することができる。また、このＥＣＵ７は、信号変化タイミングの前に車両２を加速走行と惰性走行とを組み合わせて走行させる制御を実行することで、車両２が交差点に進入する際に、車両２の惰性走行に伴った減速によって運転者の注意行動を促すことができる。
【００３７】
さらにここでは、ＥＣＵ７は、惰性走行有効期間Ｘが確保される場合に車両２の惰性走行を行い、言い換えれば、惰性走行有効期間Ｘが確保されない場合には、車両２の惰性走行を禁止することから、車両２の惰性走行による燃料削減効果をより確実なものとすることができる。
【００３８】
なお、ＥＣＵ７は、車両２が信号機を通過する際、典型的には車両２が交差点に進入する際にエンジン４を作動状態とするとよい。例えば、図３、図４の例でＳ＝Ｓ１であれば、ＥＣＵ７のエンジンＥＣＵ７１は、車両２が信号機に応じた停止線位置を通過する信号変化タイミングＴ１にて、エンジン４が非作動状態であれば自動で再始動し作動状態とする。車両２は、惰性走行の状態では、基本的には駆動輪３にエンジン４による駆動トルク（駆動力）やエンジンブレーキトルク（制動力）が作用せず、慣性力によって惰性で走行する状態となるため、挙動の安定性が相対的に低下する傾向にあるが、上記のように車両２が信号機を通過する際にエンジン４が作動状態となることで、十分に挙動の安定性が確保され、緊急操舵や急減速等に適正に対応することができる。
【００３９】
また、ＥＣＵ７は、上記の説明では、信号変化タイミングより早いタイミングで加速走行と惰性走行とを自動的に行う制御を実行するものとして説明したが、自動で走行制御するかわりに、通知装置１１（図１参照）を介して、運転者に対して加速走行の操作又は惰性走行の操作を促す制御を実行するようにしてもよい。ここで、加速走行の操作とは、典型的には、アクセル操作のＯＮなどのフリーラン解除操作であり、惰性走行の操作とは、典型的には、アクセル操作のＯＦＦなどのフリーラン操作である。
【００４０】
通知装置１１は、例えば、ナビゲーション装置に付属しているＬＣＤ画面やインジケータ等の視覚情報表示装置、音声、ブザー等の聴覚情報を発するスピーカなどの音出力装置、ハンドル振動、座席振動、ペダル反力などの触覚情報を出力する触覚情報出力装置など、運転者に対してフリーラン操作やフリーラン解除操作を推奨する情報を通知することができるものであればなんでもよい。
【００４１】
この場合、ＥＣＵ７は、図４で例示したように、加速走行で車速が車両２の上限速度ＶＬに達した後に惰性走行を行った場合に、この惰性走行を継続すると信号変化タイミングＴ１までに車両２が信号機を通過できない場合には、通知装置１１を介して、加速走行の操作であるフリーラン解除操作を促す制御を行うようにするとよい。
【００４２】
この結果、車両２は、ＥＣＵ７が信号変化タイミングの前にフリーラン操作あるいはフリーラン解除操作を促す情報通知を行い、通知された情報に促されて運転者が適正なタイミングでフリーラン操作やフリーラン解除操作を行うことで、信号機で停止することなく当該信号機を通過できる可能性を高めることができると共に、燃料消費を低減して燃費の向上を図ることができる。
【００４３】
以上で説明した実施形態に係るＥＣＵ７によれば、エンジン４で発生する動力によって走行する車両２の走行中に、車両２の走行方向前方の信号機の信号変化タイミングを含む情報に基づいて、エンジン４を作動状態とし車両２を加速させる加速走行とエンジン４を非作動状態とし車両２を惰性で走行させる惰性走行とを行う制御、あるいは、加速走行の操作又は惰性走行の操作を促す制御を実行する。したがって、ＥＣＵ７は、例えば、車両２の青信号・無停止通過と燃費の向上とを両立することができ、適正に車両２の惰性走行を実現することができる。
【００４４】
なお、上述した本発明の実施形態に係る車両用制御装置は、上述した実施形態に限定されず、特許請求の範囲に記載された範囲で種々の変更が可能である。
【００４５】
以上の説明では、動力伝達装置５は、ＥＣＵ７によって動作が制御される自動変速機としての変速機５１を備えるものとして説明したが、これに限らず、図５の変形例に示すように、手動変速機としての変速機５１Ａを備えるものであってもよい。つまり、図５に示すように、本実施形態のＥＣＵ７を含む車両制御システム１Ａは、手動変速機としての変速機５１Ａが搭載された車両２に適用されてもよい。
【００４６】
この場合、車両制御システム１Ａは、動力伝達装置５が変速機５１Ａに加えて、エンジン４と変速機５１Ａとの間の動力伝達経路中にクラッチ５３Ａを含んで構成される。クラッチ５３Ａは、種々の係合装置を用いることができ、運転者によるクラッチペダルのクラッチ操作に応じて、エンジン４側の回転部材と駆動輪３側の回転部材とを動力伝達可能に係合した係合状態と、この係合を解除しエンジン４と駆動輪３とを動力伝達不能に切り離した解放状態とに切り替え可能である。手動変速機としての変速機５１Ａは、運転者によるシフトレバーのシフト操作に応じて、複数のギヤ段のうちの任意の１つ、あるいは動力を伝達しないニュートラルポジションが選択される。
【００４７】
そして、車両制御システム１Ａは、フリーランスイッチ１０、Ｔ／ＭＥＣＵ７２等にかえて、クラッチペダルの操作量に相当するクラッチストロークを検出するクラッチストロークセンサ１２Ａ、クラッチペダルが踏み込まれていないことを検出するクラッチアッパースイッチ１３Ａ、クラッチペダルが完全に踏み込まれていることを検出するクラッチロワースイッチ１４Ａ等を備える。ＥＣＵ７は、クラッチストロークセンサ１２Ａ、クラッチアッパースイッチ１３Ａ、クラッチロワースイッチ１４Ａによる検出結果に基づいて、運転者によるフリーラン操作やフリーラン解除操作を検出する。
【００４８】
ＥＣＵ７は、変速機５１Ａが手動変速機である場合、運転者による所定のフリーラン操作として、例えば、車両２の走行中に、運転者によって、クラッチペダルを踏み込んでクラッチ５３Ａを解放状態としシフト操作によりニュートラルポジションを選択した後、クラッチペダルをはなしてクラッチ５３Ａを再び係合状態とする一連の操作がなされた際に、エンジン４の作動を停止し車両２を惰性走行させる。また、ＥＣＵ７は、変速機５１Ａが手動変速機である場合、運転者による所定のフリーラン解除操作として、例えば、車両２の惰性走行中に、運転者によって、クラッチペダルを踏み込んでクラッチ５３Ａを解放状態とする操作、あるいは、アクセル操作をＯＮとする操作がなされた際に、エンジン４を再始動し車両２を加速走行させる。
【００４９】
この場合であっても、ＥＣＵ７は、エンジン４で発生する動力によって走行する車両２の走行中に、車両２の走行方向前方の信号機の信号変化タイミングを含む情報に基づいて、エンジン４を作動状態とし車両２を加速させる加速走行とエンジン４を非作動状態とし車両２を惰性で走行させる惰性走行とを行う制御、あるいは、加速走行の操作又は惰性走行の操作を促す制御を実行することで、適正に車両２の惰性走行を実現することができる。
【００５０】
また、以上で説明した車両は、走行用駆動源として、エンジン４に加えてさらに、発電可能な電動機としてのモータジェネレータなどを備えたいわゆる「ハイブリッド車両」であってもよい。
【００５１】
また、以上で説明したフリーラン操作、フリーラン解除操作は、上記で説明した操作に限られない。
【産業上の利用可能性】
【００５２】
以上のように本発明に係る車両用制御装置は、種々の車両に搭載される車両用制御装置に適用して好適である。
【符号の説明】
【００５３】
１、１Ａ    車両制御システム
２    車両
３    駆動輪
４    エンジン（駆動源）
５    動力伝達装置
６    インフラ情報取得装置
７    ＥＣＵ（車両用制御装置）
１１    通知装置
５１、５１Ａ    変速機
５３Ａ    クラッチ
７１    エンジンＥＣＵ
７２    Ｔ／ＭＥＣＵ
７３    Ｓ＆ＳＥＣＵ
【図１】
0005549563.tif 000002
【図２】
0005549563.tif 000003
【図３】
0005549563.tif 000004
【図４】
0005549563.tif 000005
【図５】
0005549563.tif 000006